【手続補正書】
【提出日】平成17年7月29日(2005.7.29)
【手続補正１】
【補正対象書類名】特許請求の範囲
【補正対象項目名】全文
【補正方法】変更
【補正の内容】
【特許請求の範囲】
【請求項１】
血液を酸化するための光分解人工肺であって、以下：
少なくとも部分的に脱酸素された血液を受容し、血液を光分解セルに輸送するための導入口であって、該光分解セルが光透過性の基板、導電層および光反応性表面を有し、該光反応性表面が光活性化により血液中の水を溶存酸素に変換する能力を有する、導入口；
該光分解セルに光量子を提供し、そして、該光反応性表面を活性化するための光源；および
該光分解セルの外部に酸化された血液を輸送するための排出口、
を含む、光分解人工肺。
【請求項２】
前記光反応性表面が光活性化触媒を含む、請求項１に記載の光分解人工肺。
【請求項３】
前記光活性化触媒が金属酸化物である、請求項２に記載の光分解人工肺。
【請求項４】
前記金属酸化物が性能増強ドープ剤の存在下または非存在下にアナターゼ型の（ＴｉＯ２）、ＷＯ３またはＺｎＯ、これらの組み合わせを含む、請求項３に記載の光分解人工肺。
【請求項５】
前記光源が３５０〜３９０ｎｍの範囲で発光する紫外線レーザー光である、請求項１に記載の光分解人工肺。
【請求項６】
前記光源が３５０〜３９０ｎｍの範囲で発光するＵＶ光である、請求項１に記載の光分解人工肺。
【請求項７】
前記光源が３５０〜５００ｎｍの範囲で発光するＵＶ光である、請求項１に記載の光分解人工肺。
【請求項８】
前記光反応性表面が不均化触媒を更に含む、請求項１に記載の光分解人工肺。
【請求項９】
前記不均化触媒がＭｎＯ２を含む、請求項８に記載の光分解人工肺。
【請求項１０】
前記光分解セルが一連の光化学的に開始される反応により水を溶存酸素に変換する、請求項１に記載の光分解人工肺。
【請求項１１】
前記光分解人工肺が該光分解セルに連結したＣＯ２ガス収着装置を更に含む、請求項１に記載の光分解人工肺。
【請求項１２】
前記光分解人工肺がＣＯ２ガス透過性脱気材料を更に含む、請求項１に記載の光分解人工肺。
【請求項１３】
前記光反応性表面が前記光透過性基板上に配置された光活性化光分解触媒および該光活性化光分解触媒上に配置された不均化触媒を含む、請求項１に記載の光分解人工肺。
【請求項１４】
前記光活性化光分解触媒が光分解性照射を受けると血液中の水を水素イオン、電子および活性酸素に変換する、請求項１３に記載の光分解人工肺。
【請求項１５】
前記不均化触媒が活性酸素を溶存酸素に変換する、請求項１３に記載の光分解人工肺。
【請求項１６】
前記光分解セルが水から溶存酸素を、そして、血液中に存在する重炭酸イオンから二酸化炭素を同時に生成する、請求項１に記載の光分解人工肺。
【請求項１７】
患者の血液から酸素を生成し、そして、二酸化炭素を除去するための光分解人工肺であって、以下：
患者から血液を受容し、血液を光分解セルに輸送するための導入口と、
光活性化触媒を有する光分解セルであって、該光活性化触媒が光活性化により水を溶存酸素に変換する能力を有する、光分解セル；
該光分解セルに光量子を提供し、そして、該触媒を活性化して溶存酸素の生成および二酸化炭素の形成をもたらす一連の化学反応を開始するための光源；
該光分解セルの外部に酸化された血液を輸送し、そして血液を患者に戻すための排出口；および
気体拡散管によるか、または、固体への収着により、血液から気体ＣＯ２を除去するための排出口、
を含む、光分解人工肺。
【請求項１８】
前記光活性化触媒がアナターゼ型（ＴｉＯ２）である、請求項１７に記載の光分解人工肺。
【請求項１９】
前記光源が３５０〜３９０ｎｍの紫外線レーザー光である、請求項１７に記載の光分解人工肺。
【請求項２０】
前記光分解人工肺が前記光分解セル内の化学反応をモニタリングするセンサーを更に含む、請求項１７に記載の光分解人工肺。
【請求項２１】
前記肺が前記センサーに応答して前記光分解セルを調節するためのプロセッサーを更に含む、請求項１７に記載の光分解人工肺。
【請求項２２】
前記光分解セルが一連の光化学的に開始される反応により水を溶存酸素に変換する、請求項１７に記載の光分解人工肺。
【請求項２３】
前記光分解人工肺が二酸化炭素ガス収着装置を更に含む、請求項１７に記載の光分解人工肺。
【請求項２４】
光分解セルであって、以下：
透明基板；
該基板上に配置された光活性化光分解触媒；および
該光活性化光分解触媒上に配置された不均化触媒、
を含む光分解セル。
【請求項２５】
前記光活性化光分解触媒が金属酸化物である、請求項２４に記載の光分解セル。
【請求項２６】
前記金属酸化物がＴｉＯ２アナターゼ、ＷＯ３およびＺｎＯよりなる群から選択される、請求項２５に記載の光分解セル。
【請求項２７】
前記不均化触媒がＦｅＩＩ、ＦｅＩＩＩ、ＣｕＩ、ＣｕＩＩ、ＣｏＩＩ、ＣｏＩＩＩ、ＭｎＩＩ、ＭｎＩＩＩ、ＭｎＩＶおよびＭｎＯ２の少なくとも１種を含む、請求項２４に記載の光分解セル。
【請求項２８】
前記触媒がＭｎＯ２である、請求項２７に記載の触媒。
【請求項２９】
前記光分解セルが水を溶存酸素に変換する、請求項２４に記載の光分解セル。
【請求項３０】
前記光活性化光分解触媒が水を活性酸素に変換する、請求項２４に記載の光分解セル。
【請求項３１】
前記不均化触媒が活性酸素を溶存酸素に変換する、請求項２４記載の光分解セル。
【請求項３２】
ガス吸着装置であって、以下：
ガスヘッドスペース、および該ガスヘッドスペースに連結されたガスコエレサーを備える、コアレセンスコンパートメント；ならびに
該コアレセンスコンパートメントに連結されたガス収着器であって、ここで、該ガスヘッドスペースに蓄積するガスは、該ガス収着器へ移動し、そして該ガス収着器は、ガスを溶液または固体に変換する、ガス収着器、
を備える、ガス吸着装置。
【請求項３３】
前記ガス吸着装置が、水素ガスの進入のため、前記ガスヘッドスペースに連結された進入点をさらに備える、請求項３２に記載のガス吸着装置。
【請求項３４】
前記コエレサーが、前記溶液を除去するために、該コエレサーに連結された排出口をさらに備える、請求項３２に記載のガス吸着装置。
【請求項３５】
溶液に酸素を送達する方法であって、以下：
光分解セル内に溶液を提供する工程；
該光分解セル内の光活性化触媒によって、水を溶存酸素に変換する工程；
該溶存酸素を、該溶液に結合させる工程；および
該溶液を、該光分解セルから除去する工程、
を包含する、方法。
【請求項３６】
前記溶液が、血液である、請求項３５に記載の方法。
【請求項３７】
前記光分解セル内の前記溶液から二酸化炭素を除去する工程をさらに包含する、請求項３５に記載の方法。
【請求項３８】
前記光分解セル内の前記溶液から二酸化炭素を生成する工程；および、該光分解セルから該二酸化炭素を除去する工程をさらに包含する、請求項３５に記載の方法。
【請求項３９】
患者からの血液を酸化するための方法であって、以下の工程：
患者からの血液を光分解セル内に提供する工程；
該光分解セルにおいて、一連の光化学反応によって、該血液内に存在する水を溶存酸素に変換する工程；
該溶存酸素を、血液ヘモグロビンに結合させる工程；
該光分解セルにおいて、二酸化炭素を形成する工程；
該光分解セルおよび血液中に形成された二酸化炭素を除去する工程；ならびに
酸化された血液を、該光分解セルから除去して、該血液を該患者に戻す工程、
を包含する、方法。
【請求項４０】
患者の血液から、酸素を生成し、かつ二酸化炭素を除去するための方法であって、以下の工程：
患者から受容した脱酸化された血液を、光分解セルに提供する工程であって、ここで、該光分解セルは、光活性化により水を酸素に変換する能力を有する光活性化触媒を含む、工程；
該光分解セルに光を提供して、該触媒を活性化させる工程であって、ここで、該光分解セルにおいて、該血液中に存在する水が溶存酸素に変換されて、二酸化炭素が形成される、工程；
該光分解セルにおいて、該溶存酸素を血液ヘモグロビンに結合させる、工程；
該光分解セルにおいて形成された二酸化炭素を除去する工程；ならびに
酸化された血液を、該光分解セルから除去して、該血液を該患者に戻す工程、
を包含する、方法。
【請求項４１】
血液を酸化するための人工肺毛細管であって、以下：
脱酸化された血液を受容し、かつ該血液を光分解セルに輸送するための導入口であって、該光分解セルは、光反応性表面を有し、該光反応性表面は、光活性化により該血液中の水を溶存酸素に変換する能力を有する、導入口；
該光分解セルに光量子を提供して、該光反応性表面を活性化するための光源；および
該光分解セルから酸化された血液を輸送するための排出口、
を備える、人工肺毛細管。
【請求項４２】
前記光反応性表面が、光活性化触媒を含む、請求項４１に記載の人工肺毛細管。
【請求項４３】
前記光活性化触媒が、アナターゼ（ＴｉＯ２）、ＷＯ３またはＺｎＯを含有する金属酸化物触媒である、請求項４２に記載の人工肺毛細管。
【請求項４４】
前記光源が、３５０〜３９０ｎｍの紫外線レーザー光である、請求項４１に記載の人工肺毛細管。
【請求項４５】
前記毛細管が、１０μ以上の内径を有する、請求項４１に記載の人工肺毛細管。
【請求項４６】
前記光分解セルが、メソポーラス材料を含む、請求項４１に記載の人工肺毛細管。
【請求項４７】
患者の静脈血から酸化された血液を生成するための人工肺毛細管であって、以下：
患者からの脱酸化された静脈血を受容し、かつ該血液を光分解セルに輸送するための導入口；
光透過性の基板および光反応性表面を有する光分解セルであって、該光反応性表面は、光活性化層、光分解触媒および該光分解触媒上に配置された不均化触媒の層を備え、ここで、該光反応性表面は、光活性化により該血液中の水を溶存酸素に変換する能力を有する、光分解セル；
光源であって、該光分解セルの該光透過性基板に光量子を提供し、該光分解触媒を活性化して、該光分解セルの該光反応性表面によって溶存酸素発生をもたらす一連の化学反応を開始させるための、光源；および
該光分解セルから酸化された血液を輸送して、該血液を該患者に戻すための排出口、
を備える、人工肺毛細管。
【請求項４８】
前記光活性化光分解触媒が、金属酸化物である、請求項４７に記載の人工肺毛細管。
【請求項４９】
前記金属酸化物が、ＴｉＯ２（アナターゼ）、ＷＯ３またはＺｎＯを含有する、請求項４７に記載の人工肺毛細管。
【請求項５０】
前記光源が、３５０〜３９０ｎｍの紫外線レーザー光である、請求項４７に記載の人工肺毛細管。
【請求項５１】
前記毛細管が、メソポーラス材料から構築される、請求項４７に記載の人工肺毛細管。